(57)【要約】【課題】  装着時における外部からの衝撃を効果的に吸収し、耐衝撃性に優れる帽子、及び当該帽子を内装材として装着したヘルメットを提供する。【解決手段】  帽子は、半球状クラウンと、前記半球状クラウンの外側表面に配置され、伸縮性を有する合成繊維製布で形成された微小径の樹脂製ビーズを充填した袋体と、で構成される。【選択図】  図１
2006312798.tif 000002
【特許請求の範囲】
【請求項１】
半球状クラウンと、前記半球状クラウンの外側表面に配置され、伸縮性を有する合成繊維製布で形成された微小径の樹脂製ビーズを充填した袋体と、で構成されることを特徴とする帽子。
【請求項２】
前記樹脂製ビーズは、直径が少なくとも０．２ミリメートルから多くとも１．２ミリメートルであることを特徴とする請求項１記載の帽子。
【請求項３】
前記袋体は、頭頂部からクラウンの開口部側へ放射状に延出した複数の小袋体が頭頂部で連接したヒトデ状の形状であることを特徴とする請求項１又は２記載の帽子。
【請求項４】
前記小袋体は、先端部へ向かうに従い幅広となることを特徴とする請求項３記載の帽子。
【請求項５】
前記小袋体の前記先端部は、前記クラウンの縫着部で係止されることを特徴とする請求項３又は４記載の帽子。
【請求項６】
前記クラウンの外側表面の前記袋体が接触しない部分にも、前記袋体と同様の伸縮性を有する合成繊維製布で袋部を形成し、該袋部内に前記樹脂製ビーズを充填させたことを特徴とする請求項３から５のいずれか一項記載の帽子。
【請求項７】
前記クラウンも前記袋体と同じ合成繊維製布で形成されることを特徴とする請求項１から６のいずれか一項記載の帽子。
【請求項８】
硬質樹脂製の外側シェルと、請求項１から７のいずれか一項記載の帽子を用いたインナーと、で構成されることを特徴とするヘルメット。
【発明の詳細な説明】
【技術分野】
【０００１】  本発明は、装着時において優れた衝撃吸収性を発揮する帽子、及びその帽子をインナーとして装着したヘルメットに関する。
【背景技術】
【０００２】  従来、ヘルメットの衝撃吸収性を向上させるための内装材（例えば、特許文献１参照）や、衝撃吸収性を有する部材を付加して耐衝撃性を付与した帽子（例えば、特許文献２参照）などが提案されてきた。しかしながら、硬質樹脂製の外側シェルを有するヘルメットは携帯性や収納性に劣り、一方、帽子だけでは高い衝撃吸収性が必要な状況では使用できない、という相反する課題があった。そこで、このような問題を解決するものとして、本出願人は特願２００４−３４４８８４号を提案した。この帽子は、高い衝撃吸収性が必要な場合はヘルメットの内装材として、また低い衝撃吸収性で十分な場合には単独で帽子として使用することができ、両方の機能を兼備するものである。【０００３】  しかしながら、上記提案の帽子は、帽子に形成した複数の空気室の弾性、即ち、反発によってヘルメットへの衝撃を緩和する構成であったため、例えば、硬質の壁面に衝突した場合や落下物体が衝突した場合などには、緩和されてはいるもののその衝突方向からの衝撃が瞬間的に直接知覚されるものであった。本出願人は、上記構成の帽子について衝撃を効果的に吸収できる構造について更に検討を行った。
【特許文献１】特開２００４−２９０６０４号公報（第４−７頁、第１図）
【特許文献２】特開平１０−７２７１９号公報（第２−３頁、第１図）
【発明の開示】
【発明が解決しようとする課題】
【０００４】  本発明は上記従来の課題に鑑みてなされたものであり、伸縮性に富む合成繊維製布で形成した袋体内に微小径の樹脂製ビーズを充填し、当該袋体を帽子のクラウン外側表面に縫着することにより、装着時における外部からの衝撃を効果的に吸収し、耐衝撃性に優れる帽子、及び当該帽子を内装材（インナー）として装着したヘルメットを提供することを目的とする。
【課題を解決するための手段】
【０００５】  上記課題を解決するため、本発明の帽子は、半球状クラウンと、前記半球状クラウンの外側表面に配置され、伸縮性を有する合成繊維製布で形成された微小径の樹脂製ビーズを充填した袋体と、で構成されることを特徴とする。
上記構成によれば、袋体に伸縮性があり、且つ内部に充填された樹脂製ビーズが微小径であるため、衝撃発生時に、樹脂製ビーズが衝撃の付加方向とは異なる垂直方向などへ瞬時に移動して衝撃のエネルギーを逃がすことにより、衝撃を効果的に吸収することができる。また、袋体の形状が自在に変化するため、ヘルメットの外側シェル装着時にも、インナーとしての帽子を外側シェルに適切に密着させ、衝撃を効果的に吸収することができる。【０００６】  また、本発明の帽子は、請求項１記載の帽子であって、前記樹脂製ビーズは、直径が少なくとも０．２ミリメートルから多くとも１．２ミリメートルであることを特徴とする。
上記構成によれば、微小径の樹脂製ビーズが袋体内部で容易に移動できるため、衝撃発生時に、樹脂製ビーズが衝撃の付加方向とは異なる垂直方向などへ瞬時に移動して衝撃のエネルギーを逃がすことにより、衝撃を効果的に吸収することができる。【０００７】  また、本発明の帽子は、請求項１又は２記載の帽子であって、前記袋体は、頭頂部からクラウンの開口部側へ放射状に延出した複数の小袋体が頭頂部で連接したヒトデ状の形状であることを特徴とする。
上記構成によれば、袋体が複数の小袋体に分けられるため、樹脂製ビーズが一部の領域だけに移動して偏在することが防止され、従って、ビーズ数が少ないために衝撃を有効に吸収できない部分の発生が抑止され、帽子の全体に渡って均一且つ効果的に衝撃を吸収することができる。【０００８】  また、本発明の帽子は、請求項３記載の帽子であって、前記小袋体は、先端部へ向かうに従い幅広となることを特徴とする。
上記構成によれば、袋体の表面積を大きくとることができるため、帽子の全体に渡って均一且つ効果的に衝撃を吸収することができる。また、ヘルメットの外側シェル装着時にも、インナーとしての帽子を外側シェルに適切に密着させ、衝撃を効果的に吸収することができる。【０００９】  また、本発明の帽子は、請求項３又は４記載の帽であって、前記小袋体の前記先端部は、前記クラウンの縫着部で係止されることを特徴とする。
上記構成によれば、小袋体の先端部とクラウンの縫着部とが一致するように係止するという目安により製造が容易となり、また意匠的にも優れた帽子とすることができる。【００１０】  また、本発明の帽子は、請求項３から５のいずれか一項記載の帽子であって、前記クラウンの外側表面の前記袋体が接触しない部分にも、前記袋体と同様の伸縮性を有する合成繊維製布で袋部を形成し、該袋部内に前記樹脂製ビーズを充填させたことを特徴とする。
上記構成によれば、クラウンの外側表面のほぼ全体にわたって樹脂製ビーズの充填部分が配置されることになるため、効果的に衝撃を吸収することができる。また、製造方法によっては、袋体を別途製造してクラウンに縫着する場合に比べて製造工程を短縮化でき、低コストで帽子を製造することができる。【００１１】  また、本発明の帽子は、請求項１から６のいずれか一項記載の帽子であって、前記クラウンも前記袋体と同じ合成繊維製布で形成されることを特徴とする。
上記構成によれば、クラウンと袋体部が同じ部材で形成されるため、袋体を別途製造してクラウンに縫着する場合に比べて製造工程を短縮化でき、また低コストで帽子を製造することができる。【００１２】  また、本発明のヘルメットは、硬質樹脂製の外側シェルと、請求項１から７のいずれか一項記載の帽子を用いたインナーと、で構成されることを特徴とする。
上記構成によれば、インナーとして装着した帽子により衝撃を効果的に吸収することができる。
。
【発明の効果】
【００１３】  以上のように、本発明の帽子及びヘルメットによれば、単体の帽子または内装材として装着したヘルメットの使用時において、外部からの衝撃を効果的に吸収することができる。
【発明を実施するための最良の形態】
【００１４】  以下、本発明の実施の形態における帽子及びヘルメットについて、図面を用いて詳細に説明する。尚、実施の形態を説明するための全図において、同一機能を有するものは同一符号を付与し、説明は繰り返さないこととする。【００１５】  ［実施の形態１］図１は、本発明の実施の形態１における帽子の外観を示す図である。帽子１００は、主に、袋体部１０、クラウン部２０、鍔部３０、で構成される。【００１６】  袋体部１０は、ナイロンやポリウレタンなどの伸縮性に優れる合成繊維製布で形成され、その内部に発泡ポリスチレン製中空ビーズなどの微小径の樹脂性ビーズ１１（図１では図示省略）が充填されている。クラウン部２０は、装着時に頭部を覆う半球状のクラウンを構成するもので、布または合成樹脂等で生成された略球面三角形状の複数のシート２１を溶着または縫着して形成される。鍔部３０は、帽子の庇となるもので、布、紙、合成樹脂等の素材で形成される。【００１７】  図２は、本発明の実施の形態１における帽子の袋体部の詳細な形状を示す図である。ヒトデ状に形成された袋体部１０は、図に示すように内部に微小径の樹脂性ビーズ１１が多数充填されており、紡錘型の断面を有している。袋体部１０は、その材質及び内部に充填された樹脂製ビーズのために変形自在な柔軟性を有しており、従って、帽子のクラウン部２０が形成する半球形状に沿う曲率で適切に密着する。頭頂部からクラウン部２０の開口部側へ向かって延出する複数の小袋体１２は、先端側１３ほど幅広となっており、クラウン部２０との接触面積が広くなるように形成されている。これは、即ち、後述するヘルメットの外側シェルとの接触面積も広くすることになるため、帽子と外側シェルとが安定して接触するとともに、衝撃を効果的に吸収することができる。袋体部１０は、複数の小袋体１２の先端部１３でクラウン部２０に縫着されている（図１参照）。尚、先端部１３以外に縫着部を増加して袋体部１０とクラウン部２０との位置がずれ難くなるように補強してもよい。【００１８】  次に、図３は、本発明の実施の形態１におけるヘルメットの構成を示す図である。ヘルメット２００は、主に、外側シェル４０と、ヘルメットの内装材となる上記の帽子１００、で構成される。上記のように、帽子１００の袋体部１０は変形自在な柔軟性を有しているため、外側シェル４０の内径が、袋体部１０を含む帽子１００の外径よりも大きくなく、且つ帽子１００のクラウン部２０のみの外径よりも大きい程度の範囲の大きさであれば、内側に装着するだけで、外部からの衝撃を適切に吸収できるように密着させることができる。【００１９】  次に、上記構成のヘルメットの衝撃吸収効果について説明する。【００２０】  ヘルメット２００装着時、装着者の頭部と外部シェル４０との間には、微小径の樹脂性ビーズが充填された袋体部１０が介在していることになる。袋体部１０は、指圧で変形するくらいの柔軟性を有しており、従って、外部シェル４０の外部から衝撃が付加された場合でも、袋体部１０内部の樹脂製ビーズが衝撃の付加方向とは異なる方向へ瞬間的に動いて衝撃付加方向からのエネルギーを逃がすため、効果的に衝撃を吸収することができる。【００２１】  例えば、ヘルメットを��着した状態で外側シェル４０を装着者自ら壁に衝突させる（即ち、頭突きを行う）場合に知覚される衝撃を官能検査の手法で評価すると、従来のヘルメットを装着して知覚される衝撃は、緩和されてはいるものの音、振動ともに直接的であるのに対し、本発明のヘルメットを装着した場合のそれは大幅に減衰されたものであった。【００２２】  ［実施の形態２］図４は、本発明の実施の形態２における帽子の外観を示す図である。実施の形態２の帽子３００は、主に、袋体部１０と、クラウン部２０、で構成される。【００２３】  袋体部１０の小袋体１２は、実施の形態１と同様にナイロンやポリウレタンなどの伸縮性に優れる合成繊維製布で形成されているが、断面図に示すように、この合成繊維製布はクラウン部２０全体を覆うような略半球状に形成されているため、小袋体１２同士の間に別の袋部分１４が形成される。本実施の形態の帽子ではこの袋部分１４内にも樹脂製ビーズ１１を充填している。【００２４】  上記のような構成とすることにより、実施の形態１と比較して帽子の製造工程を短縮化することができる。製造工程について簡単に説明する。はじめにクラウン部２０を形成し、その外側表面に略半球状に成型された伸縮性に優れる合成繊維製布をかぶせるようにして重ね、クラウン部２０との間隙に樹脂製ビーズを充填した後、クラウン部２０の周縁部（即ち、開口部）で双方を縫着する。その後、樹脂製ビーズが均一に充填されている状態で、波型状の曲線の縫着線１５に沿ってクラウン部２０と合成繊維製布を縫着する。このような製造工程で製造すれば、袋体部１０を別途製造した後にクラウン部２０へ縫着する実施の形態１の場合に比較して、短時間且つ低コストで帽子を製造することができる。【００２５】  ［実施の形態３］図５は、本発明の実施の形態３における帽子の外観を示す図である。実施の形態３の帽子４００は、主に、袋体部１０と、クラウン部２０、で構成される。【００２６】  実施の形態３の帽子は、実施の形態２のそれと比較して、クラウン部２０もナイロンやポリウレタンなどの伸縮性に優れる合成繊維製布で形成されている点である。そのため、断面の形状が、図に示すように紡錘型となる。【００２７】  上記のような構成とすることにより、実施の形態２の帽子と同様に製造工程を短縮化することができる。尚、製造工程については実施の形態２のそれとほぼ同様であるため、説明を省略する。【００２８】  また、袋体部１０とクラウン部２０を同じ部材で製造することにより、実施の形態２の帽子に比較して更に低コストでの製造が可能となる。
【産業上の利用可能性】
【００２９】  本発明にかかわる帽子及びヘルメットは、外部からの衝撃を適切に吸収することができるという効果を有し、簡易的に衝撃を吸収する帽子として、また更に安全性を高めたヘルメットとしての両方の使用において有用である。
【図面の簡単な説明】
【００３０】
【図１】本発明の実施の形態１における帽子の外観を示す図
【図２】本発明の実施の形態１における帽子の袋体部の詳細な形状を示す図
【図３】本発明の実施の形態１におけるヘルメットの構成を示す図
【図４】本発明の実施の形態２における帽子の外観を示す図
【図５】本発明の実施の形態３における帽子の外観を示す図
【符号の説明】
【００３１】  １０  袋体部
１１  樹脂製ビーズ
１２  小袋体
１３  小袋体の先端部
１４  袋部分
１５  縫着線
２０  クラウン部
２１  クラウン部シート
３０  鍔部
４０  外側シェル
１００，３００，４００  帽子
２００  ヘルメット
【図１】
2006312798.tif 000003
【図２】
2006312798.tif 000004
【図３】
2006312798.tif 000005
【図４】
2006312798.tif 000006
【図５】
2006312798.tif 000007